(57)【要約】【課題】光源および反射板の前方に設けられるルーバーを、容易に形成することのできる照明器具を提供する。【解決手段】光源３１からの直射光および反射板３２からの反射光のグレアを低減するルーバー２２を、渦巻状に形成したので、同心形状の場合のような連結部材も必要なく、１枚の細板状部材２５を巻回して形成することができる。このため、１個の部材で容易に製作することができる。【選択図】図１
2010170957.tif 000002
【特許請求の範囲】
【請求項１】
光源と、
前記光源からの光を所定の方向へ反射する反射板と、
前記光源および前記反射板を支持する灯体と、
前記光源の前方に設けられ、前記光源からの直射光および前記反射板からの反射光のグレアを低減するルーバーと、を有する照明器具であって、
前記ルーバーが、渦巻状に形成されていることを特徴とする照明器具。
【請求項２】
前記ルーバーの取付部が、切起しにより形成されたことを特徴とする請求項１記載の照明器具。
【発明の詳細な説明】
【技術分野】
【０００１】
本発明は、光源および反射板の前方に、ルーバーを取付けて、グレアの低減を図る照明器具に関するものである。
【背景技術】
【０００２】
従来より、前面にルーバーを取付けて、グレアの低減を図る照明器具が知られている（例えば非特許文献１参照）。
図６（Ａ）に示すように、このスポットライト１００では、ランプおよびランプからの光を所定の方向へ反射する反射板を内包する灯体１０１を有する。被取付部である例えば天井１０２にはベース１０３が取付けられ、ベース１０３の下面には、支持部材１０４が回転可能に取付けられている。灯体１０１は、支持部材１０４の先端に、回動可能且つ固定可能に取付けられている。
【０００３】
灯体１０１の前面には、ランプおよび反射板からの光をグレアカットするルーバー１０５が取付けられている。図６（Ｂ）に示すように、ルーバー１０５は、同心円状の複数枚の円筒状プレート１０６と、これらの円筒状プレート１０６を所定の間隔で連結する複数枚の連結プレート１０７を有する。
従って、ランプおよび反射板からの光は、円筒状プレート１０６によって遮られて、グレアカットされる。
【先行技術文献】
【非特許文献】
【０００４】
【非特許文献１】パナソニック電工株式会社、“照明オンラインカタログ”、[online]、パナソニック電工株式会社、［平成２１年１月２０日検索］インターネット＜URL：http://denko.panasonic.biz/Ebox/catalog/＞
【発明の概要】
【発明が解決しようとする課題】
【０００５】
しかしながら、前述したようなスポットライト１００に設けられているルーバー１０５においては、４個の円筒状プレート１０６と、２個の連結プレート１０７が用いられる。このため、部品点数が多く、製作が面倒であるという問題があった。
【０００６】
本発明は、従来の問題を解決するためになされたもので、光源および反射板の前方に設けられるルーバーを、容易に形成することのできる照明器具を提供することを目的とする。
【課題を解決するための手段】
【０００７】
本発明の照明器具は、光源と、前記光源からの光を所定の方向へ反射する反射板と、前記光源および前記反射板を支持する灯体と、前記光源の前方に設けられ、前記光源からの直射光および前記反射板からの反射光のグレアを低減するルーバーと、を有する照明器具であって、前記ルーバーが、渦巻状に形成されている構成を有している。
【０００８】
この構成により、光源からの直射光および反射板からの反射光のグレアを低減するルーバーを、渦巻状に形成したので、同心形状の場合のような連結部材が必要なく、１枚の細板状部材を巻回して形成することができる。このため、１個の部材で容易に製作することができる。
【０００９】
また、本発明の照明器具は、前記ルーバーの取付部が、切起しにより形成された構成を有している。
【００１０】
この構成により、ルーバーの灯体への取付けを、ルーバーの切起しにより形成するので、取付部を含めて部品点数が１個となり、容易に製作することができる。
【発明の効果】
【００１１】
本発明は、光源からの直射光および反射板からの反射光のグレアを低減するルーバーを、渦巻状に形成したので、同心形状の場合のような連結部材も必要なく、１枚の細板状部材を巻回して形成することができる。このため、１個の部材で容易に製作することができるという効果を有する照明器具を提供することができるものである。
【図面の簡単な説明】
【００１２】
【図１】本発明の第１実施形態にかかる照明器具を示す斜視図
【図２】（Ａ）は第１実施形態にかかるルーバーの平面図、（Ｂ）は（Ａ）中Ｂ−Ｂ位置の断面図
【図３】ルーバーの製造方法の説明図
【図４】（Ａ）は第２実施形態にかかるルーバーの平面図、（Ｂ）は（Ａ）中Ｂ−Ｂ位置の断面図
【図５】ルーバーの製造方法の説明図
【図６】（Ａ）は従来のスポットライトの斜視図、（Ｂ）はルーバーの斜視図
【発明を実施するための形態】
【００１３】
（第１実施形態）
以下、本発明の第１実施形態の照明器具について、図面を用いて説明する。
図１は本発明の第１実施形態にかかる照明器具を示す斜視図、図２（Ａ）はルーバーの平面図、図２（Ｂ）は（Ａ）中Ｂ−Ｂ位置の断面図、図３はルーバーの製造方法の説明図である。
【００１４】
図１に示すように、第１実施形態にかかる照明器具としてのスポットライト１０は、被取付部である例えば天井１１に取付けられるベース１２を有しており、ベース１２の下面には、アーム部材１３がベース１２に対して垂直軸回りに旋回可能に取付けられている。アーム部材１３の先端（下端）には、光を照射する灯体２０が、回転軸１４によって上下方向へ回動可能に取付けられている。
従って、灯体２０は、アーム部材１３の旋回および回転軸１４に対する回転により、任意の方向へ光を照射することができる。
【００１５】
図２に示すように、灯体２０は、内部に光源であるランプ３１およびランプ３１からの光を所定の方向へ反射する反射板３２を内包し、前部に開口２１を有する。ランプおよび反射板の前方である灯体２０の開口２１には、ランプおよび反射板からの光をグレアカットするルーバー２２が取付けられている。
【００１６】
図２（Ａ）に示すように、ルーバー２２は、外径がほぼ真円となるようならせん形状をしたルーバー本体２２１と、ルーバー本体２２１を灯体２０に取付けるための取付部２２２とを有する。ルーバー本体２２１の高さは、グレアカットする角度に応じて決定される。取付部２２２は、ルーバー本体２２１の最外周から外側へ突出し、所定間隔で複数個（ここでは、例えば４個）設けられている。
【００１７】
ルーバー２２の作成は、図３に示すように、予め、ルーバー本体２２１となる細幅の金属製の薄板の一端寄りに所定間隔で取付部２２２を設けた材料２５を作製しておく。複数個の取付部２２２の間隔は、図２（Ａ）のように灯体２０に取付けた状態で、最外周のルーバー本体２２１に、所定の間隔となるように配置する。
【００１８】
材料２５の、取付部２２２が設けられていない側の端部を始端として、円筒（または丸棒）状の治具２４に巻きつけて積層する。その後、材料２５の弾性により戻して、ルーバー本体２２１がらせん状となるようにする。そして、取付部２２２を略直角に折り曲げて、ルーバー２２を作製する。
【００１９】
図２に示すように、灯体２０の開口２１近傍の内面には、開口２１の中心に向かって取付板２０１が複数個取付けられている。この取付板２０１は、ルーバー２２の取付部２２２に対応して設けられており、取付部２２２を取付板２０１にねじ２３で取付けることによりルーバー２２を取付ける。この際、層状に巻回されたルーバー本体２２１の間隔を、できるだけ均一にするのが望ましい。
これにより、ランプ３１および反射板３２からの光は、ルーバー本体２２１によって遮られて、グレアカットされる。
【００２０】
以上、説明した第１実施形態にかかる照明器具１０によれば、ランプ３１からの直射光および反射板３２からの反射光のグレアを低減するルーバー２２を、渦巻状に形成したので、同心形状の場合のような連結部材も必要なく、１枚の材料２５を巻回して形成することができる。
また、取付部２２２をルーバー本体２２１に一体的に設けたので１個の部材で容易に製作することができる。
【００２１】
（第２実施形態）
次に、本発明の第２実施形態の照明器具について、図面を用いて説明する。
図４（Ａ）はルーバーの平面図、図４（Ｂ）は（Ａ）中Ｂ−Ｂ位置の断面図、図５はルーバーの製造方法の説明図である。なお、前述した第１実施形態にかかる照明器具１０と共通する部位には同じ符号を付して、重複する説明を省略することとする。
【００２２】
図４（Ａ）に示すように、第２実施形態にかかる照明器具１０Ｂでは、ルーバー２２Ｂは、ルーバー本体２２１Ｂの両端が最外周にあり、外形がほぼ真円となるようなら二重のらせん形状をしたルーバー本体２２１Ｂと、ルーバー本体２２１を灯体２０に取付けるための取付部２２２とを有する。
【００２３】
ルーバー２２Ｂの作成は、図５に示すように、予め、ルーバー本体２２１となる細幅の金属製の薄板の両端部に所定間隔で取付部２２２を設けた材料２５Ｂを作製しておく。この材料２５Ｂの中央部を治具２４Ｂで挟んで、巻きつける。その後、材料２５Ｂの弾性により戻して、ルーバー本体２２１Ｂが所定間隔で巻回された二重らせん状となるようにする。そして、取付部２２２を略直角に折り曲げて、ルーバー２２Ｂを作製する。
【００２４】
ルーバー２２Ｂの灯体２０への取付は、前述した第１実施形態の場合とまったく同様にして、取付部２２２と取付板２０１をねじ２３で取付ける。
【００２５】
以上、説明した第２実施形態にかかる照明器具１０Ｂによれば、前述した第１実施形態と同様の効果を得ることができる。
【００２６】
なお、本発明の照明器具は、前述した各実施形態に限定されるものでなく、適宜な変形，改良等が可能である。
【符号の説明】
【００２７】
１０  スポットライト（照明器具）
２０  灯体
２２  ルーバー
２２２  取付部
３１  ランプ（光源）
３２  反射板
【図１】
2010170957.tif 000003
【図２】
2010170957.tif 000004
【図３】
2010170957.tif 000005
【図４】
2010170957.tif 000006
【図５】
2010170957.tif 000007
【図６】
2010170957.tif 000008